(57)【要約】【課題】側方から表示パネルに衝撃が伝わることを防止することが可能で、かつ、組立が容易な表示装置を提供する。【解決手段】この表示装置（ＬＣＤユニット２０）は、発光ダイオード７ｂと樹脂フレーム５とを含むバックライトユニット３と、バックライトユニット３の上方に配置され、バックライトユニット３の幅よりも小さい幅を有するとともに、バックライトユニット３の外縁部３ａよりも内側に配置される表示パネル４と、表示パネル４の周囲に空間を有するように、表示パネル４およびバックライトユニット３を収納する金属製の上側フレーム１および下側フレーム２とを備え、バックライトユニット３の外縁部３ａには、組立時に、バックライトユニット３の上方に配置される表示パネル４の位置決めを容易にするための樹脂フレーム５の切欠部５ａおよび接着層６の切り欠き部６ａが設けられている。【選択図】図４
2006154338.tif 000002
【特許請求の範囲】
【請求項１】
バックライト用光源と樹脂フレームとを含むバックライトユニットと、
前記バックライトユニットの上方に配置され、前記バックライトユニットの幅よりも小さい幅を有するとともに、前記バックライトユニットの外縁部よりも内側に配置される表示パネルと、
前記表示パネルの周囲に空間を有するように、前記表示パネルおよび前記バックライトユニットを収納する金属製フレームとを備え、
前記バックライトユニットの外縁部には、組立時に、前記バックライトユニットの上方に配置される前記表示パネルの位置決めを容易にするための切欠部が設けられていることを特徴とする、表示装置。
【請求項２】
前記バックライトユニットの切欠部には、組立時に、前記バックライトユニットに対する前記表示パネルの取付位置の位置決めを行うための組立治具の位置決め部が挿入されることを特徴とする、請求項１に記載の表示装置。
【請求項３】
前記バックライトユニットの切欠部は、前記バックライトユニットの外縁部のうち対向する２辺に２つ設けられていることを特徴とする、請求項１または２に記載の表示装置。
【請求項４】
前記表示パネルに取り付けられるとともに、前記金属製フレームの内部から外部に延びるように配置された表示パネル用のフレキシブルプリント配線板をさらに備え、
前記フレキシブルプリント配線板は、コネクタ差込部と、前記表示パネル側に配置される第１折り曲げ部と、前記コネクタ差込部および前記第１折り曲げ部の間に配置される第２折り曲げ部とをさらに有することを特徴とする、請求項１〜３のいずれか１項に記載の表示装置。
【請求項５】
前記フレキシブルプリント配線板には、第１電子部品および第２電子部品が取り付けられており、
前記フレキシブルプリント配線板は、前記第１電子部品が取り付けられる第１電子部品取付部と、前記第２電子部品が取り付けられる第２電子部品取付部と、前記第１電子部品取付部および前記第２電子部品取付部の間に配置される第３折り曲げ部とを有することを特徴とする、請求項４に記載の表示装置。
【請求項６】
前記フレキシブルプリント配線板の前記コネクタ差込部と前記第２電子部品取付部との間には、スリットが設けられていることを特徴とする、請求項５に記載の表示装置。
【請求項７】
請求項１〜６のいずれか１項に記載の表示装置を含むことを特徴とする、携帯電話。
【請求項８】
バックライト用光源と樹脂フレームとを含むバックライトユニットと、前記バックライトユニットの上方に配置され、前記バックライトユニットの幅よりも小さい幅を有するとともに、前記バックライトユニットの外縁部よりも内側に配置される表示パネルとを備え、前記バックライトユニットの外縁部には、組立時に、前記バックライトユニットの上方に配置される前記表示パネルの位置決めを容易にするための切欠部が設けられている、表示装置の組立方法であって、
前記バックライトユニットの切欠部を所定の位置に配置する工程と、
前記バックライトユニットの切欠部が形成される外縁部よりも内側に前記表示パネルを配置する工程と、
前記表示パネルの周囲に空間を有するように、前記表示パネルおよび前記バックライトユニットを金属製フレームに収納する工程とを備えたことを特徴とする、表示装置の組立方法。
【請求項９】
前記バックライトユニットの切欠部に係合するとともに、前記バックライトユニットに対する前記表示パネルの取付位置の位置決めを行う位置決め部を含む組立治具を準備する工程をさらに備え、
前記バックライトユニットを所定の位置に配置する工程は、前記バックライトユニットの切欠部を前記組立治具の位置決め部に係合させることにより、前記バックライトユニットを所定の位置に配置する工程を含み、
前記表示パネルを配置する工程は、前記表示パネルの側面を前記組立治具の位置決め部に当接させることにより、前記表示パネルを前記バックライトユニットの切欠部が形成される外縁部よりも内側に配置する工程を含むことを特徴とする、請求項８に記載の表示装置の組立方法。
【発明の詳細な説明】
【技術分野】
【０００１】
本発明は、表示装置、携帯電話および表示装置の組立方法に関し、特に、表示パネルを備えた表示装置、携帯電話および表示装置の組立方法に関する。
【背景技術】
【０００２】
従来、ガラス基板を有する表示パネルと、表示パネルを収納する金属または樹脂により形成されたリアケースとを備えた表示装置が知られている（たとえば、特許文献１参照）。上記特許文献１には、リアケースに収納される表示パネルを構成するガラス基板を弾性を有する突出部で接触して保持する構成を有する液晶表示装置が開示されている。
【０００３】
また、従来、携帯電話などに組み込まれる液晶表示装置（ＬＣＤ（Ｌｉｑｕｉｄ  Ｃｒｙｓｔａｌ  Ｄｉｓｐｌａｙ）ユニット）が知られている。図２３は、従来の一例によるＬＣＤユニットを示した斜視図であり、図２４は、図２３に示した従来の一例によるＬＣＤユニットの分解斜視図である。図２５は、図２３の４００−４００の線に沿った断面図であり、図２６は、図２３の５００−５００の線に沿った断面図である。図２３〜図２６を参照して、従来のＬＣＤユニット１２０について説明する。
【０００４】
従来のＬＣＤユニット１２０は、図２３および図２４に示すように、金属製の上側フレーム１０１および下側フレーム１０２と、バックライトユニット１０３と、バックライトユニット１０３からの光が照射される表示パネル１０４とを備えている。
【０００５】
また、金属製の上側フレーム１０１は、図２４に示すように、表示パネル１０４の表示領域に対応して設けられた開口部１０１ａを有する上面部１０１ｂと、上面部１０１ｂの４辺から下方向に延びるように形成される４つの側面部１０１ｃと、側面部１０１ｃに設けられた挿入孔１０１ｄと、切欠部１０１ｅとを含んでいる。また、金属製の下側フレーム１０２は、上側フレーム１０１の挿入孔１０１ｄに係合する突起部１０２ａと、上側フレーム１０１の切欠部１０１ｅに対応する位置に配置された切欠部１０２ｂとが設けられている。
【０００６】
また、バックライトユニット１０３は、図２５に示すように、樹脂フレーム１０５と、表示パネル１０４をバックライトユニット１０３（図２４参照）に貼り付けるための接着層１０６と、バックライト用フレキシブルプリント配線板（バックライト用ＦＰＣ）１０７（図２６参照）とにより構成されている。また、樹脂フレーム１０５には、表示パネル１０４を取り付けるための取付部１０５ａが表示パネル１０４を取り囲むように設けられている。また、樹脂フレーム１０５には、下から順番に、光を上方に反射する反射シート１２１と、導光板１２２と、光を集光するレンズシート１２３および１２４と、光を拡散する拡散シート１２５とが収納されている。導光板１２２は、バックライト用ＦＰＣ１０７（図２６参照）に電気的に接続された発光ダイオード１０７ｂ（図２６参照）から照射される光を、パネル全体に導く機能を有する。
【０００７】
また、表示パネル１０４は、図２４に示すように、下側偏光板１０８と、液晶を挟み込むように対向配置された下側ガラス基板１０９および上側ガラス基板１１０と、上側偏光板１１１とによって構成されている。
【０００８】
また、表示パネル１０４には、下側ガラス基板１０９の上面に、表示パネル１０４を駆動するための駆動ＩＣ１１２と、駆動ＩＣ１１２に電気的に接続されるパネル用フレキシブルプリント配線板（パネル用ＦＰＣ）１１３とが取り付けられている。また、バックライト用ＦＰＣ１０７およびパネル用ＦＰＣ１１３は、図２３に示すように、上側フレーム１０１の切欠部１０１ｅおよび下側フレーム１０２の切欠部１０２ｂにより構成される開口部から外部に延びるように配置されている。また、パネル用ＦＰＣ１１３には、バックライト用ＦＰＣ１０７のコネクタ差込部１０７ａ（図２４参照）が差し込まれるコネクタ部１１３ａが設けられている。
【０００９】
また、図２４に示すように、パネル用ＦＰＣ１１３には、電子部品１１４が配置される電子部品取付部１１３ｂが設けられている。また、パネル用ＦＰＣ１１３には、図示しないコネクタに差し込まれるコネクタ差込部１１３ｃが設けられている。また、パネル用ＦＰＣ１１３には、電子部品１１４が配置される電子部品取付部１１３ｄが設けられている。
【特許文献１】特許第３３２２６２９号公報
【発明の開示】
【発明が解決しようとする課題】
【００１０】
図２３〜図２６に示した従来のＬＣＤユニット１２０では、金属製の上側フレーム１０１および下側フレーム１０２の側方から衝撃を受けた場合、樹脂フレーム１０５の取付部１０５ａ（図２５参照）を介して、表示パネル１０４のガラス基板１０９および１１０に衝撃が伝わるという不都合があった。このため、ガラス基板１０９および１１０が割れる場合があるという問題点があった。
【００１１】
また、上記特許文献１に開示された構造では、リアケースの突出部が表示パネルのガラス基板に直接接触しているため、衝撃が加わった場合に、突出部が弾性変化したとしてもガラス基板には衝撃が伝わるという不都合がある。このため、落下などの衝撃を受けた場合に、表示パネルのガラス基板が割れる場合があるという問題点がある。特に、リアケース（突出部）が金属により形成されている場合には、落下などの衝撃を受けた場合に、金属製の突出部によりガラス基板に衝撃が伝わるので、表示パネルのガラス基板がより割れやすいという問題点がある。
【００１２】
この発明は、上記のような課題を解決するためになされたものであり、この発明の１つの目的は、側方から表示パネルに衝撃が伝わることを防止することが可能で、かつ、組立が容易な表示装置、携帯電話および表示装置の組立方法を提供することである。
【課題を解決するための手段および発明の効果】
【００１３】
上記目的を達成するために、この発明の第１の局面による表示装置は、バックライト用光源と樹脂フレームとを含むバックライトユニットと、バックライトユニットの上方に配置され、バックライトユニットの幅よりも小さい幅を有するとともに、バックライトユニットの外縁部よりも内側に配置される表示パネルと、表示パネルの周囲に空間を有するように、表示パネルおよびバックライトユニットを収納する金属製フレームとを備え、バックライトユニットの外縁部には、組立時に、バックライトユニットの上方に配置される表示パネルの位置決めを容易にするための切欠部が設けられている。
【００１４】
この第１の局面による表示装置では、上記のように、表示パネルの周囲に空間を有するように、表示パネルを収納する金属製フレームを設けることによって、側方から表示パネルに衝撃が伝わることを防止することができる。これにより、衝撃に起因する表示パネルの破損を防止することができる。また、バックライトユニットに、組立時に、バックライトユニットの上方に配置される表示パネルの位置決めを容易にするための切欠部を設けることにより、組立時に、そのバックライトユニットの切欠部に、バックライトユニットに対する表示パネルの取付位置の位置決めを行うための組立治具の位置決め部を挿入することができるので、バックライトユニット上にバックライトユニットの幅よりも小さい幅を有する表示パネルを配置する際に、バックライトユニットの切欠部に挿入された組立治具の位置決め部を用いて、容易に表示パネルを位置決めすることができる。これにより、容易に組立を行うことができる。
【００１５】
上記第１の局面による表示装置において、好ましくは、バックライトユニットの切欠部には、組立時に、バックライトユニットに対する表示パネルの取付位置の位置決めを行うための組立治具の位置決め部が挿入される。このように構成すれば、バックライトユニットの切欠部および組立治具の位置決め部を用いて、バックライトユニットよりも小さい幅を有する表示パネルをバックライトユニットに対して容易に位置決めすることができる。
【００１６】
上記第１の局面による表示装置において、好ましくは、バックライトユニットの切欠部は、バックライトユニットの外縁部のうち対向する２辺に２つ設けられている。このように構成すれば、切欠部が１つの場合に比べて、より容易に、バックライトユニットに対する表示パネルの位置決めを行うことができる。
【００１７】
上記第１の局面による表示装置において、好ましくは、表示パネルに取り付けられるとともに、金属製フレームの内部から外部に延びるように配置された表示パネル用のフレキシブルプリント配線板をさらに備え、フレキシブルプリント配線板は、コネクタ差込部と、表示パネル側に配置される第１折り曲げ部と、コネクタ差込部および第１折り曲げ部の間に配置される第２折り曲げ部とを有する。このように構成すれば、第１折り曲げ部を折り曲げることによって、フレキシブルプリント配線板のコネクタ差込部を表示パネルの下側に配置することができる。また、フレキシブルプリント配線板に、コネクタ差込部および第１折り曲げ部の間に配置される第２折り曲げ部を設けることによって、コネクタ差込部に対して反対方向に向かってコネクタ差込部が差し込まれるコネクタ部が配置される場合にも、第２折り曲げ部を折り曲げることにより、コネクタ差込部をコネクタ部の差込口に向かって配置することができる。
【００１８】
上記フレキシブルプリント配線板は、コネクタ差込部と、第１折り曲げ部と、第２折り曲げ部とを有する表示装置において、好ましくは、フレキシブルプリント配線板には、第１電子部品および第２電子部品が取り付けられており、フレキシブルプリント配線板は、第１電子部品が取り付けられる第１電子部品取付部と、第２電子部品が取り付けられる第２電子部品取付部と、第１電子部品取付部および第２電子部品取付部の間に配置される第３折り曲げ部とをさらに有する。このように構成すれば、第３折り曲げ部を折り曲げることによって、第２電子部品取付部を第１電子部品取付部の下側に配置することができるので、フレキシブルプリント配線板の片面のみに電子部品を取り付ける場合にも、フレキシブルプリント配線板の上側および下側に電子部品を配置することができる。また、フレキシブルプリント配線板に、第１電子部品取付部と第２電子部品取付部との間に配置される第３折り曲げ部を設けることによって、フレキシブルプリント配線板の第３折り曲げ部を折り曲げることにより、第２電子部品取付部が第１電子部品取付部の下方に配置されるので、第２電子部品取付部が、コネクタ部に取り付けられるプリント配線基板の上方にオーバーラップすることがない。これにより、コネクタ部が取り付けられるプリント配線基板の配線領域として使用可能な面積を増加させることができる。
【００１９】
上記フレキシブルプリント配線板が、第１電子部品取付部、第２電子部品取付部および第３折り曲げ部をさらに有する表示装置において、好ましくは、フレキシブルプリント配線板のコネクタ差込部と第２電子部品取付部との間には、スリットが設けられている。このように構成すれば、コネクタ差込部と第２電子部品取付部とを別々に折り曲げることができる。
【００２０】
この発明の第２の局面による携帯電話は、上記したいずれかの構成を有する表示装置を含む。このように構成すれば、表示パネルが破損することを防止するとともに、組立時に、バックライトユニットよりも小さい幅を有する表示パネルをバックライトユニットに対して容易に位置決めすることが可能な表示装置を含む携帯電話を得ることができる。
【００２１】
この発明の第３の局面による表示装置の組立方法は、バックライト用光源と樹脂フレームとを含むバックライトユニットと、バックライトユニットの上方に配置され、バックライトユニットの幅よりも小さい幅を有するとともに、バックライトユニットの外縁部よりも内側に配置される表示パネルとを備え、バックライトユニットの外縁部には、組立時に、バックライトユニットの上方に配置される表示パネルの位置決めを容易にするための切欠部が設けられている表示装置の組立方法であって、バックライトユニットの切欠部を所定の位置に配置する工程と、バックライトユニットの切欠部が形成される外縁部よりも内側に表示パネルを配置する工程と、表示パネルの周囲に空間を有するように、表示パネルおよびバックライトユニットを金属製フレームに収納する工程とを備える。
【００２２】
この第３の局面による表示装置の組立方法では、上記のように、表示パネルの周囲に空間を有するように、表示パネルを金属製フレームに収納することによって、側方から表示パネルに衝撃が伝わることを防止することができる。これにより、衝撃に起因する表示パネルの破損を防止することができる。また、バックライトユニットに、組立時に、バックライトユニットの上方に配置される表示パネルの位置決めを容易にするための切欠部を設けることにより、組立時に、そのバックライトユニットの切欠部に、バックライトユニットに対する表示パネルの取付位置の位置決めを行うための組立治具の位置決め部を挿入することができるので、バックライトユニット上にバックライトユニットの幅よりも小さい幅を有する表示パネルを配置する際に、バックライトユニットの切欠部に挿入された組立治具の位置決め部を用いて、容易に表示パネルを位置決めすることができる。これにより、容易に組立を行うことができる。
【００２３】
上記第３の局面による表示装置の組立方法において、好ましくは、バックライトユニットの切欠部に係合するとともに、バックライトユニットに対する表示パネルの取付位置の位置決めを行う位置決め部を含む組立治具を準備する工程をさらに備え、バックライトユニットを所定の位置に配置する工程は、バックライトユニットの切欠部を組立治具の位置決め部に係合させることにより、バックライトユニットを所定の位置に配置する工程を含み、表示パネルを配置する工程は、表示パネルの側面を組立治具の位置決め部に当接させることにより、表示パネルをバックライトユニットの切欠部が形成される外縁部よりも内側に配置する工程を含む。このように構成すれば、バックライトユニットの切欠部および組立治具の位置決め部を用いて、バックライトユニットよりも小さい幅を有する表示パネルを、バックライトユニットに対して容易に位置決めすることができる。
【発明を実施するための最良の形態】
【００２４】
以下、本発明の実施形態を図面に基づいて説明する。
【００２５】
図１は、本発明の一実施形態によるフレキシブルプリント配線板を備えたＬＣＤユニットを示した斜視図であり、図２は、図１に示した一実施形態によるＬＣＤユニットを携帯電話のプリント配線基板に取り付けた状態を示した側面図である。図３は、図１に示した一実施形態によるＬＣＤユニットの分解斜視図である。図４〜図６は、図１に示した一実施形態によるＬＣＤユニットの構造の詳細を示した図である。図１〜図６を参照して、本発明の一実施形態によるＬＣＤユニット２０について説明する。なお、本実施形態では、本発明の表示装置の一例としてのＬＣＤユニット２０について説明する。
【００２６】
本発明の一実施形態によるＬＣＤユニット２０は、図１〜図３に示すように、金属製の上側フレーム１および下側フレーム２と、バックライトユニット３（図３参照）と、バックライトユニット３から光を照射される表示パネル４（図３参照）とを備えている。なお、上側フレーム１および下側フレーム２は、本発明の「金属製フレーム」の一例である。また、図２に示すように、ＬＣＤユニット２０は、携帯電話の上側シャーシ５１および下側シャーシ５２内に収納されるとともに、ＬＣＤユニット２０のパネル用ＦＰＣ１３のコネクタ差込部１３ｃ（図１参照）は、携帯電話のプリント配線基板３０のコネクタ部３１に接続されている。
【００２７】
また、金属製の上側フレーム１には、図３に示すように、表示パネル４の表示領域に対応して設けられた開口部１ａを有する上面部１ｂと、上面部１ｂの４辺から下方向に延びるように形成される４つの側面部１ｃと、側面部１ｃに設けられた挿入孔１ｄと、切欠部１ｅとを含んでいる。また、金属製の下側フレーム２には、上側フレーム１の挿入孔１ｄに係合する突起部２ａと、上側フレーム１の切欠部１ｅに対応する位置に配置された切欠部２ｂとが設けられている。
【００２８】
ここで、本実施形態では、金属製の上側フレーム１および下側フレーム２は、図４に示すように、表示パネル４の周囲に空間Ｓを有するように、表示パネル４およびバックライトユニット３（図３参照）を収納する。また、バックライトユニット３（図３参照）は、図４に示すように、樹脂フレーム５と、表示パネル４をバックライトユニット３（図３参照）に貼り付けるための接着層６と、バックライト用フレキシブルプリント配線板（バックライト用ＦＰＣ）７（図５参照）とにより構成されている。また、樹脂フレーム５内には、下から順番に、光を上方に反射する反射シート２１と、導光板２２と、光を集光するレンズシート２３および２４と、光を拡散する拡散シート２５とが収納されている。導光板２２は、バックライト用ＦＰＣ７（図５参照）に電気的に接続された発光ダイオード７ｂ（図５参照）から照射される光を、パネル全体に導く機能を有する。なお、発光ダイオード７ｂは、本発明の「バックライト用光源」の一例である。また、バックライトユニット３の樹脂フレーム５および接着層６には、図３に示すように、表示パネル４の位置決めを容易にするための切欠部５ａおよび６ａが設けられている。また、バックライト用ＦＰＣ７には、後述するコネクタ差込部７ａが設けられている。
【００２９】
また、本実施形態では、表示パネル４は、バックライトユニット３の上方に配置されている。また、表示パネル４は、バックライトユニット３の幅よりも小さい幅を有する。すなわち、平面的に見て、表示パネル４は、バックライトユニット３よりも一回り小さい大きさを有する。また、表示パネル４は、バックライトユニット３の外縁部３ａよりも内側に配置される。また、表示パネル４は、図６に示すように、下側偏光板８と、液晶を挟み込むように対向配置された下側ガラス基板９および上側ガラス基板１０と、上側偏光板１１とによって構成されている。
【００３０】
また、表示パネル４には、下側ガラス基板９の上面に、表示パネル４を駆動するための駆動ＩＣ１２と、駆動ＩＣ１２に電気的に接続されるパネル用フレキシブルプリント配線板（パネル用ＦＰＣ）１３とが取り付けられている。また、バックライト用ＦＰＣ７およびパネル用ＦＰＣ１３は、図１に示すように、上側フレーム１の切欠部１ｅおよび下側フレーム２の切欠部２ｂにより構成される開口部から外部に延びるように配置されている。
【００３１】
また、パネル用ＦＰＣ１３には、バックライト用ＦＰＣ７のコネクタ差込部７ａ（図３参照）が差し込まれるコネクタ部１３ａが設けられている。また、パネル用ＦＰＣ１３には、電子部品１４が配置される電子部品取付部１３ｂが設けられている。また、パネル用ＦＰＣ１３には、プリント配線基板３０のコネクタ３１に差し込まれるコネクタ差込部１３ｃが設けられている。また、パネル用ＦＰＣ１３には、電子部品１５が配置される電子部品取付部１３ｄが設けられている。なお、パネル用ＦＰＣ１３は、本発明の「フレキシブルプリント配線板」の一例である。また、電子部品１４は、本発明の「第１電子部品」の一例であり、電子部品１５は、本発明の「第２電子部品」の一例である。なお、電子部品取付部１３ｂは、本発明の「第１電子部品取付部」の一例であり、電子部品取付部１３ｄは、本発明の「第２電子部品取付部」の一例である。
【００３２】
また、本実施形態では、パネル用ＦＰＣ１３には、表示パネル４（図３参照）側に配置される折り曲げ部１３ｅと、電子部品取付部１３ｂとコネクタ差込部１３ｃとの間に配置される折り曲げ部１３ｆと、電子部品取付部１３ｂおよび電子部品取付部１３ｄの間に配置される折り曲げ部１３ｇとが設けられている。また、折り曲げ部１３ｇには、折り曲げ部１３ｇを折り曲げやすくするために、折り曲げ孔１３ｉが設けられている。なお、折り曲げ部１３ｅは、本発明の「第１折り曲げ部」の一例であり、折り曲げ部１３ｆは、本発明の「第２折り曲げ部」の一例であり、折り曲げ部１３ｇは、本発明の「第３折り曲げ部」の一例である。また、パネル用ＦＰＣ１３のコネクタ差込部１３ｃと電子部品取付部１３ｄとの間には、コネクタ差込部１３ｃと電子部品取付部１３ｄとを個別に折り曲げることが可能なように、スリット１３ｈが設けられている。
【００３３】
図７〜図１６は、本発明の一実施形態によるＬＣＤユニットに収納されるバックライトユニットおよび表示パネルの組立方法を説明するための図である。次に、図３、図４および図７〜図１６を参照して、本発明の一実施形態によるＬＣＤユニット２０の組立方法について説明する。
【００３４】
本発明の一実施形態によるＬＣＤユニット２０の組立方法では、まず、図３に示す表示パネル４を、バックライトユニット３の接着層６に貼り付ける。
【００３５】
この際、本実施形態では、図７に示す組立治具４０を用いて、バックライトユニット３を所定の位置に配置するとともに、バックライトユニット３の外縁部３ａよりも内側に表示パネル４を配置して貼り付ける。
【００３６】
ここで、組立治具４０の構造について説明する。この組立治具４０には、図８に示すように、一方内側面部４１と、一方内側面部４１に対向するように配置された他方内側面部４２と、前面部４３と、前面部４３に対向するように配置された一対の後面部４４と、一方内側面部４１および他方内側面部４２にそれぞれ配置され、側部４５および正面部４６を有する一対の位置決め部４７と、各コーナー部および位置決め部４７に隣接するように設けられた逃がし部４８と、組立時に作業者の指を逃がす指逃がし穴４９とを含む。なお、位置決め部４７は、本発明の「位置決め部」の一例である。また、一方内側面部４１は、図７に示すように、バックライトユニット用位置決め部４１ａおよびパネル用位置決め部４１ｂを有する。また、他方内側面部４２は、図８に示すように、バックライトユニット用位置決め部４２ａおよびパネル用位置決め部４２ｂを有する。また、前面部４３は、バックライトユニット用位置決め部４３ａと、バックライトユニット用位置決め部４３ａの上部に配置されたひさし状のパネル用位置決め部４３ｂとを有する。また、位置決め部４７の正面部４６の上部には、図９および図１０に示すように、パネル当接部４６ａが設けられている。また、逃がし部４８は、バックライトユニット３および表示パネル４を組立治具４０に配置する際に、バックライトユニット３および表示パネル４の角が当接して配置しにくくなることを防止するなどのために設けられている。また、図７に示すように、指逃がし穴４９は、バックライトユニット３および表示パネル４を、組立治具４０に配置する際や組立治具４０から取り外す際に、指が組立治具４０に当接して配置または取り外しにくくなることを防止するために設けられている。また、組立治具４０には、表示パネル４およびバックライトユニット３を挿入する領域の内側面部に沿って、面取り部４０ａが設けられている。この面取り部４０ａにより、組立時のバックライトユニット３および表示パネル４の組立治具４０への配置を容易に行うことが可能である。
【００３７】
具体的な組立方法としては、まず、上記した組立治具４０を準備する。そして、図１１に示すように、バックライトユニット３を斜め上方から組立治具４０の所定の位置に配置する。この際、バックライトユニット３を、組立治具４０の前面部４３のバックライトユニット用位置決め部４３ａに当接させるとともに、バックライトユニット３の樹脂フレーム５の切欠部５ａを、一対の位置決め部４７に上方から係合させながら嵌め込む。これにより、図１２に示すように、バックライトユニット３の幅方向（図１２のＸ方向）が、一方内側面部４１のバックライトユニット用位置決め部４１ａおよび他方内側面部４２のバックライトユニット用位置決め部４２ａにより位置決めされる。また、バックライトユニット３の長さ方向（図１２のＹ方向）が、前面部４３のバックライトユニット用位置決め部４３ａおよび位置決め部４７の側部４５により位置決めされる。このように、バックライトユニット３の幅方向（図１２のＸ方向）および長さ方向（図１２のＹ方向）が、組立治具４０に位置決めされることによって、バックライトユニット３が所定の位置に配置された状態になる。
【００３８】
次に、図１３に示すように、組立治具４０に配置されたバックライトユニット３の上方から表示パネル４を配置する。この際、表示パネル４の幅方向（図１３のＸ方向）は、一方内側面部４１のパネル用位置決め部４１ｂ、他方内側面部４２のパネル用位置決め部４２ｂおよび位置決め部４７の正面部４６のパネル当接部４６ａに当接させることにより位置決めされる。また、表示パネル４の長さ方向（図１３のＹ方向）は、前面部４３のパネル用位置決め部４３ｂおよび一対の後面部（図１２参照）４４に当接させることにより位置決めされる。このように、表示パネル４の幅方向（図１３のＸ方向）および長さ方向（図１３のＹ方向）が、組立治具４０に位置決めされることによって、表示パネル４は、バックライトユニット３の樹脂フレーム５の切欠部５ａ（図１２参照）が形成される外縁部３ａよりも内側に配置された状態で、バックライトユニット３の接着層６に貼り付けられる。次に、接着層６により貼り付けられたバックライトユニット３および表示パネル４を、図４に示すように、表示パネル４の周囲に空間Ｓを有するように、金属製の上側フレーム１および下側フレーム２に収納する。
【００３９】
本実施形態では、上記のように、表示パネル４の周囲に空間を有するように、表示パネル４を収納する金属製の上側フレーム１および下側フレーム２を設けることによって、側方から表示パネル４に衝撃が伝わることを防止することができる。これにより、衝撃に起因する表示パネル４の破損を防止することができる。また、バックライトユニット３に、組立時に、バックライトユニット３の上方に配置される表示パネル４の位置決めを容易にするための樹脂フレーム５の切欠部５ａおよび接着層６の切欠部６ａを設けることにより、組立時に、その樹脂フレーム５の切欠部５ａおよび接着層６の切欠部６ａに、バックライトユニット３に対する表示パネル４の取付位置を位置決めするための組立治具４０の一対の位置決め部４７を挿入することができるので、バックライトユニット３上にバックライトユニット３の幅よりも小さい幅を有する表示パネル４を配置する際に、樹脂フレーム５の切欠部５ａおよび接着層６の切欠部６ａに挿入された組立治具４０の位置決め部４７を用いて、容易に表示パネル４を位置決めすることができる。これにより、容易に組立を行うことができる。
【００４０】
また、本実施形態では、バックライトユニット３の樹脂フレーム５の切欠部５ａおよび接着層６の切欠部６ａに、組立時に、バックライトユニット３に対する表示パネル４の取付位置の位置決めを行うための組立治具４０の位置決め部４７を挿入することによって、樹脂フレーム５の切欠部５ａおよび接着層６の切欠部６ａと、組立治具４０の位置決め部４７を用いて、バックライトユニット３よりも小さい幅を有する表示パネル４をバックライトユニット３に対して容易に位置決めすることができる。
【００４１】
また、本実施形態では、樹脂フレーム５の切欠部５ａおよび接着層６の切欠部６ａを、バックライトユニット３の外縁部３ａのうち対向する２辺に２つ設けることによって、切欠部が１つの場合に比べて、より容易に、バックライトユニット３に対する表示パネル４の位置決めを行うことができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明による表示装置の一例としてのＬＣＤユニットを例にとって説明したが、本発明はこれに限らず、ＬＣＤユニット以外の表示装置にも本発明を適用することができる。
【００４４】
また、上記実施形態では、バックライトユニットの外縁部のうち対向する２辺に切欠部を２つ設けた例を示したが、バックライトユニットの外縁部に、切欠部を１つ、または、３つ以上設けてもよい。
【００４５】
また、上記実施形態では、パネル用ＦＰＣ１３の折り曲げ部１３ｅ、１３ｆおよび１３ｇを折り曲げずに用いた例を示したが、本発明はこれに限らず、図１７〜図２２に示した本発明の一実施形態による第１〜第３変形例のように用いてもよい。すなわち、図１７および図１８に示す第１変形例のように、ＬＣＤユニット２０のパネル用ＦＰＣ１３の折り曲げ部１３ｅを折り曲げるとともに、折り曲げ方向に延びるパネル用ＦＰＣ１３のコネクタ差込部１３ｃを携帯電話のプリント配線基板３０のコネクタ部３１ａに接続するようにしてもよい。この場合、ＬＣＤユニット２０のパネル用ＦＰＣ１３をＬＣＤユニット２０の下側フレーム２の下側に配置することができる。また、図１９および図２０に示す第２変形例のように、ＬＣＤユニット２０のパネル用ＦＰＣ１３の折り曲げ部１３ｅおよび１３ｆを折り曲げるとともに、パネル用ＦＰＣ１３の折り曲げ部１３ｇを折り曲げずに用いてもよい。この場合、図１７および図１８に示した携帯電話のプリント配線基板３０のコネクタ部３１ａとは反対向きのコネクタ部３１ｂにパネル用ＦＰＣ１３を差し込むことができる。また、図２１および図２２に示す第３変形例のように、ＬＣＤユニット２０のパネル用ＦＰＣ１３の折り曲げ部１３ｅおよび１３ｆを折り曲げずに、パネル用ＦＰＣ１３の折り曲げ部１３ｇのみを折り曲げて用いてもよい。この場合、ＬＣＤユニット２０のパネル用ＦＰＣ１３の上側および下側に電子部品１４および１５を配置することができる。また、ＬＣＤユニット２０のパネル用ＦＰＣ１３の折り曲げ部１３ｇを折り曲げることにより、電子部品取付部１３ｄが電子部品取付部１３ｂの下方に配置されるので、電子部品取付部１３ｄが携帯電話のプリント配線基板３０の上方にオーバーラップすることがない。これにより、携帯電話のプリント配線基板３０の配線領域として使用可能な面積を増加させることができる。
【図面の簡単な説明】
【００４６】
【図１】本発明の一実施形態によるフレキシブルプリント配線板を備えたＬＣＤユニットを示した斜視図である。
【図２】図１に示した一実施形態によるＬＣＤユニットを携帯電話のプリント配線基板に取り付けた状態を示した側面図である。
【図３】図１に示した一実施形態によるＬＣＤユニットの分解斜視図である。
【図４】図１の１００−１００の線に沿った断面図である。
【図５】図１の２００−２００の線に沿った断面図である。
【図６】図１に示した一実施形態によるＬＣＤユニットの表示パネルの分解斜視図である。
【図７】図１に示した一実施形態によるＬＣＤユニットに収納されるバックライトユニットおよび表示パネルの組立方法を説明するための斜視図である。
【図８】図１に示した一実施形態によるＬＣＤユニットに収納されるバックライトユニットおよび表示パネルの組立方法を説明するための平面図である。
【図９】図１に示した一実施形態によるＬＣＤユニットに収納されるバックライトユニットおよび表示パネルの組立方法を説明するための部分拡大図である。
【図１０】図８の３００−３００の線に沿った断面図である。
【図１１】図１に示した一実施形態によるＬＣＤユニットに収納されるバックライトユニットおよび表示パネルの組立方法を説明するための斜視図である。
【図１２】図１に示した一実施形態によるＬＣＤユニットに収納されるバックライトユニットおよび表示パネルの組立方法を説明するための平面図である。
【図１３】図１に示した一実施形態によるＬＣＤユニットに収納されるバックライトユニットおよび表示パネルの組立方法を説明するための斜視図である。
【図１４】図１に示した一実施形態によるＬＣＤユニットに収納されるバックライトユニットおよび表示パネルの組立方法を説明するための斜視図である。
【図１５】図１に示した一実施形態によるＬＣＤユニットに収納されるバックライトユニットおよび表示パネルの組立方法を説明するための平面図である。
【図１６】図１に示した一実施形態によるＬＣＤユニットに収納されるバックライトユニットおよび表示パネルの組立方法を説明するための斜視図である。
【図１７】本発明の一実施形態の第１変形例によるＬＣＤユニットを携帯電話のプリント配線基板に取り付けた状態を示した斜視図である。
【図１８】図１７に示した本発明の一実施形態の第１変形例によるＬＣＤユニットを携帯電話のプリント配線基板に取り付けた状態を示した側面図である。
【図１９】本発明の一実施形態の第２変形例によるＬＣＤユニットを携帯電話のプリント配線基板に取り付けた状態を示した斜視図である。
【図２０】図１９に示した本発明の一実施形態の第２変形例によるＬＣＤユニットを携帯電話のプリント配線基板に取り付けた状態を示した側面図である。
【図２１】本発明の一実施形態の第３変形例によるＬＣＤユニットを携帯電話のプリント配線基板に取り付けた状態を示した斜視図である。
【図２２】図２１に示した本発明の一実施形態の第３変形例によるＬＣＤユニットを携帯電話のプリント配線基板に取り付けた状態を示した側面図である。
【図２３】従来の一例によるＬＣＤユニットを示した斜視図である。
【図２４】図２３に示した従来の一例によるＬＣＤユニットの分解斜視図である。
【図２５】図２３の４００−４００の線に沿った断面図である。
【図２６】図２３の５００−５００の線に沿った断面図である。
【符号の説明】
【００４７】
１  上側フレーム（金属製フレーム）
２  下側フレーム（金属製フレーム）
３  バックライトユニット
３ｂ  外縁部
４  表示パネル
５  樹脂フレーム
５ａ  切欠部
６  接着層
６ａ  切欠部
７ｂ  発光ダイオード（バックライト用光源）
１３  パネル用ＦＰＣ（フレキシブルプリント配線板）
１３ｂ  電子部品取付部（第１電子部品取付部）
１３ｃ  コネクタ差込部
１３ｄ  電子部品取付部（第２電子部品取付部）
１３ｅ  折り曲げ部（第１折り曲げ部）
１３ｆ  折り曲げ部（第２折り曲げ部）
１３ｇ  折り曲げ部（第３折り曲げ部）
１３ｈ  スリット
１４  電子部品（第１電子部品）
１５  電子部品（第２電子部品）
４０  組立治具
４７  位置決め部
【図１】
2006154338.tif 000003
【図２】
2006154338.tif 000004
【図３】
2006154338.tif 000005
【図４】
2006154338.tif 000006
【図５】
2006154338.tif 000007
【図６】
2006154338.tif 000008
【図７】
2006154338.tif 000009
【図８】
2006154338.tif 000010
【図９】
2006154338.tif 000011
【図１０】
2006154338.tif 000012
【図１１】
2006154338.tif 000013
【図１２】
2006154338.tif 000014
【図１３】
2006154338.tif 000015
【図１４】
2006154338.tif 000016
【図１５】
2006154338.tif 000017
【図１６】
2006154338.tif 000018
【図１７】
2006154338.tif 000019
【図１８】
2006154338.tif 000020
【図１９】
2006154338.tif 000021
【図２０】
2006154338.tif 000022
【図２１】
2006154338.tif 000023
【図２２】
2006154338.tif 000024
【図２３】
2006154338.tif 000025
【図２４】
2006154338.tif 000026
【図２５】
2006154338.tif 000027
【図２６】
2006154338.tif 000028